(57)【要約】【課題】  車内や屋外でシート等を敷いて、飲食をするさい各々が様々な所にコップや缶を置くとき、わずかな振動やズレによって倒れたりして、不安定な状態で置かれているものである。よって、これらのことを防ぎ、安定した置き台を提供するものである。【解決手段】  本発明の伸縮自在のコップ安定置き台は、コイル状のバネを利用して円錐形を形成する。上部の枠は飲料缶、コップなどの円形よりやや大きめにして、底部は上部の枠を安定するように大の円形状の枠とする。収納するときは上端より押して縮め、この状態を維持するように底部に維持金具を設けたことで、持ち歩くことが容易で、飲料缶、コップなどを安定した置き台として発揮するものである。【選択図】        図１
2006320680.tif 000002
【特許請求の範囲】
【請求項１】
コイルバネによって、上端部の直径を飲食のコップや缶の直径よりやや大きめの枠、底部は大の枠とした円錐形を形成する。
前記円錐形のコイルバネを縮めて、その状態を維持できる維持金具を設けたことを特徴とする伸縮自在のコップ安定置き台。
【請求項２】
前記円錐形のコイルバネにおいて、底部の接地面側に滑り止めを設けた安定板を取付けたことを特徴とする請求項１記載の伸縮自在のコップ安定置き台。
【発明の詳細な説明】
【技術分野】
【０００１】  本発明は、コイルバネを用いて円錐形を形成して、前記円錐台を圧縮、縮めてその状態を維持できるように維持金具を設けたことで、携帯として活用する飲料用のコップ類を倒れにくくする安定した置き台に関する。
【背景技術】
【０００２】  従来、コップ類の置き台において、日常使い易くするため、様々なコースターや置き台がある。【０００３】  コースターの上面に自己粘着性を有する軟質合成樹脂よりなる湯飲み茶碗受け部埋め込むようにした転倒防止コースターがある。（例えば特許文献１参照）
また、食器や飲料容器を設置可能な大きさ有し、適所に鉄製の薄片が取り付けたシートと、容器の底部にジョイントする具に磁石を取り付けて、シート上に置くことで使用する。飲料容器安定用シートセットがある。（例えば特許文献２参照）【０００４】
【特許文献１】  実開平７−２３４６０号公報
【特許文献２】  実開平４−５４２７７号公報
【発明の開示】
【発明が解決しようとする課題】
【０００５】  しかしながら、従来のコースターや転倒防止容器具に下記のような問題がある。
特許文献１、特許文献２において、野外等で利用するとき下地が砂利や凸凹した所において置きずらい所、また振動などで倒れやすい状況などによって、紙コップや様々な飲料容器を利用するには使い勝手が悪く不便である。【０００６】  そこで本発明は、上記の課題を鑑み、製品単価を安く提供して、軽量で、どのような所でも使いやすく、携帯にも便利にするものである。
【課題を解決するための手段】
【０００７】  上記の課題を解決するため、本発明はコイルバネを円錐形に形成する。上部は飲料のコップや缶類が入る直径の円形状として下部は上部の揺れに対して安定する大きさとしたコイルバネで円錐形を形成する。また、前記円錐形のコイルバネを圧縮し、縮めた状態を維持する維持金具を設けたことを特徴とする。【０００８】  また、前記円錐形のコイルバネの底部周囲にすべり止めを設けたリング状の安定板を取付けることで、前記円錐形のコイルバネを置いたとき周囲の接地面が広がり安定を図るように設けたことを特徴とする。
【発明の効果】
【０００９】  本発明は、以上説明したように構成されているので、以下に記載されているような効果を奏する。【００１０】  請求項１記載の発明によれば、野外での飲食などのときコップ等の容器を利用時、下地が悪い状況であっても不安定にならず倒れないものである。また、シートなどを敷いて利用するときシートの変動に対しても安定で、安心して利用できて、一つ一つ独立していることから置き場所を自由に選ぶことができ便利である。
さらに、ワンタッチで平にでき、何台でも重ねて持ち歩くことができて、場所を取らず携帯として利用することができる。
また、水や湿気に強く長期間利用できて、製造単価も安く提供できるものである。【００１１】  請求項２記載の発明によれば、底部にすべり止め設けたリング状の安定板によって円周の接触の抵抗が増して、振動や揺れにたいして底部が滑ったり、倒れたりすることなく安全に安定した置き台として信頼できるものである。
【発明を実施するための最良の形態】
【００１２】  本発明の実施の形態について図面を参照して説明する。
本発明の第一実施例を説明する。図１は本発明の第一実施例の維持金具側より見た全体の側面図である。図２は図１の反対側の係止部側より見た側面図である。図３は円錐形のコイルバネを縮めた状態の側面図である。
いま図において、１はコイルバネを用いて円錐形を形成する。その上部の径は飲食用のコップや缶類の直径よりやや大きめとする。底面は上部の揺れによる負荷に対して安定をはかれる大きさとする。２は円錐形のコイルバネを縮めたとき、その状態を維持するための金具である。３は維持する金具を回動するように設けた回動軸である。４は係止部で維持金具３を回動して係止めをするものである。８は円錐形のコイルバネ１に納めたコップである。【００１３】  よって、本発明を利用するとき、維持金具２を係止部４より外して、回動軸３を中心に回しながらＡ位置まで移動することで、円錐形のコイルバネ１が図１に示すように伸びる。
よって、シートや台等に置き円錐形のコイルバネ１の上部より飲食用のコップ５、缶類を入れて利用する。
シートなどを敷いた状態は凸凹となり缶、コップ等が不安定であるとともに、わずかな振動やズレが生じ、さらに不安定となる。しかし、円錐形のコイルバネ１に納められた缶、コップ等が傾き上部の枠に接触するが、底部の大の枠によって支える働きをして倒れることを防ぐものである。よって、安定した置き台として利用できるものである。
また、利用が終われば円錐形のコイルバネ１の上部より押して、縮めて維持金具２を係止部まで移動することで、図３のように圧縮して納めることができる。したがって、何台も重ねて持ち歩くことができるものである。
なお、円錐形のコイルバネ１を縮めて、その状態を維持するものに様々な方法が可能である。その一例に維持金具２を前記円錐形のコイルバネ１に取付けず、凹状の金具を横にして、前記円錐形のコイルバネ１を縮めた状態の側面より差込むことで維持できるものである。【００１４】  また、本発明の第二の実施の形態を説明する。図４は底部に安定板６を取付けた側面図である。図５は安定板６を接地面側より見た底面図である。
いま図において、６はリング状にした安定板である。７はリング状安定板６の接地面側に設けた滑り止め部である。【００１５】  したがって、利用については前記項目と同様におこなうが、リング状安定板６によって円錐形のコイルバネ１の重心が底部となり、より一層の安定を増して倒れにくいものとなる。さらに、車等の乗り物内において振動、揺れに対してもリング状安定板６の滑り止め部７によって滑りにくいものとなる。
なお、接地面側に滑り止め部が磨り減ったり、また設けて無い状態に置いても車内等の移動体でなくれば、上記と同様の効果がある。
【図面の簡単な説明】
【００１６】
【図１】本発明の第一実施例の維持金具側より見た側面図である。
【図２】本発明の第一実施例の係止部側より見た側面図である。
【図３】本発明の第一実施例の円錐形のコイルバネを縮めた状態の側面図である。
【図４】本発明の第二実施例を示す側面図である。
【図５】本発明の第二実施例のリング状安定板の底面図である。
【符号の説明】
【００１７】１、１Ａは円錐形のコイルバネ                ２、２Ａは維持金具
３、３Ａは回転軸                            ４は係止部
５はコップ                                  ６はリング状安定部
７は滑り止め部
【図１】
2006320680.tif 000003
【図２】
2006320680.tif 000004
【図３】
2006320680.tif 000005
【図４】
2006320680.tif 000006
【図５】
2006320680.tif 000007